(57)【要約】【課題】パラボラアンテナを支柱に対して装着する作業の過程において、仮に突風があった場合でも、支柱とパラボラアンテナとの関係位置を堅固に維持することができるは勿論、堅固にされた状態において方位角の調整を容易ならしめるようにしたパラボラアンテナ取付装置を提供する。【解決手段】  上部締付固定具における支柱の両側に対向する状態で位置させる引止部材と、パラボラアンテナの背面に連結する結合部を備える合せ部材との内側の構成は、締付具を用いて両者の締め付け操作を完了した状態において、引止部材と合せ部材との夫々の内側が、周方向には回動を可能にする状態で支柱の外周面に接触し、引止部材と合せ部材とは一体化するように構成してある。【選択図】    図１
2008244510.tif 000002
【特許請求の範囲】
【請求項１】
パラボラアンテナの背面に上部締付固定具と下部締付固定具とを備えさせ、上部締付固定具と下部締付固定具とを夫々支柱の上下位置に相互に離間した状態で装着することによって、パラボラアンテナを支柱に装着するようにあるパラボラアンテナの取付具において、
上記下側に位置させる下部締付固定具は、
支柱のパラボラアンテナ側の面に添え付ける当て部材と、
上記当て部材に対向させる状態で支柱の反パラボラアンテナ側の面に添え付ける締付部材と、
支柱の両側に添えつけられる上記当て部材と締付部材とを、支柱に圧着させる為の締付具とを備え、
さらに上記当て部材には、
パラボラアンテナの背面に連結する結合部とを備えさせて構成し、
上記上側に位置させる上部締付固定具は、
支柱の反パラボラアンテナ側の面に添え付ける引止部材と、
上記引止部材に対向させる状態で支柱のパラボラアンテナ側の面に添え付ける締付回り止部材と、
上記締付回り止部材に並ぶ位置に並設する状態で、かつ、上記引止部材に対向させる状態で上記支柱のパラボラアンテナ側の面に添え付ける合せ部材と、
支柱の両側に添えつけられる上記引止部材と締付回り止部材及び支柱の両側に添えつけられる上記引止部材と合せ部材とを、夫々締付ける為の締付具とを備え、
さらに上記合せ部材には、パラボラアンテナの背面に連結する結合部を備えさせて構成し、
上記支柱の両側に対向する状態で位置させる上記引止部材と、パラボラアンテナの背面に連結する結合部を備える合せ部材との内側の構成は、
上記締付具を用いて両者の締め付け操作を完了した状態において、
上記引止部材と合せ部材との夫々の内側が、周方向には回動を可能にする状態で上記支柱の外周面に接触し、上記引止部材と合せ部材とは一体化するように構成してあることを特徴とするパラボラアンテナ取付装置。
【発明の詳細な説明】
【技術分野】
【０００１】
本発明は、アンテナ支持用の支柱に対してパラボラアンテナを装着する為のパラボラアンテナ取付装置に関し、詳しくは大きな風圧荷重を受ける可能性を有する大型のパラボラアンテナでも支持することのできるパラボラアンテナ取付装置に関する。
【背景技術】
【０００２】
従来より広く知られているパラボラアンテナ取付装置としては、パラボラアンテナの背面に上部締具と下部締具とを備えさせ、上部締具と下部締具とを夫々支柱の上下位置に相互に離間した状態で装着することによって、パラボラアンテナを支柱に装着するようにしてある（例えば、特許文献１参照）。
上記構成のものにあっては、パラボラアンテナを上下２個所で支持するからパラボラアンテナを安定した状態で支持することができ、仮に、パラボラアンテナが大径で大きな風圧を受けるタイプであっても、パラボラアンテナの安定した装着状態を維持することのできる特徴がある。
しかも、上記構成のものは、上部締具と下部締具の構成が共に支柱を中心にしてアンテナ側と反アンテナ側に一対の締付部材（受片と締片）を配し、これらを締め付けることにより夫々支柱に対して上記締付部材を固着する構成である。
従って、現場において支柱に対し上部締具と下部締具を仮止めした状態で、しかも、上部締具における反アンテナ側と、下部締具におけるアンテナ側の夫々の締付部材を夫々パラボラアンテナの背面に連結する場合には、パラボラアンテナの重量は上記二つの部材を夫々支柱に対して密着させる方向に働き、上部締具と下部締具の締め付けがゆるゆるでもパラボラアンテナの仰角は固定される特徴がある。
従って、仰角が特定された状態においてパラボラアンテナを左右に回動することにより方位角の調整が容易となり、方位角の調整完了後は上部締具と下部締具を夫々堅く固着することによりパラボラアンテナの装着を良好状態で完了させることができる。
【０００３】
【特許文献１】特開平３−２４２００３号公報
【発明の開示】
【発明が解決しようとする課題】
【０００４】
しかしながら、上記構成のものにあって、支柱に対するパラボラアンテナを装着する作業が無風状態において行われる場合は問題は生じないが、山頂などにおいて突風が吹いた場合は、図１の矢印６８方向にパラボラアンテナは持ち上げられることになる。その強風（例えば192Kg、風速40m/s）による持ち上げ力によって上記の上部締具における反アンテナ側と、下部締具におけるアンテナ側の夫々の締付部材は支柱の周面から離れ、それらに対向していた締付部材は、夫々支柱の側に向けて衝撃的に移動し、例えば方位角の調整を行っている作業者の指を挟み付ける危険があった。特にパラボラアンテナが大型のオフセットパラボラアンテナやＴＴＬタイプの特大アンテナである場合等では、風圧により上部締具と下部締具が揺動することにより、その衝撃で作業者は、支柱から手を離して地上に墜落するなどの大きな事故を誘起する問題点があった。
【０００５】
本件出願の目的は、パラボラアンテナを上下２個所で支持することにより、例えば大きなパラボラで大きな風圧を受けるタイプのパラボラアンテナでも安定した状態で支持できるようにしたパラボラアンテナ取付装置を提供しようとするものである。
他の目的は、パラボラアンテナを支柱に対して装着する作業の過程において、仮に突風があった場合でも、支柱とパラボラアンテナとの関係位置を堅固に維持することができるは勿論のこと、堅固にしても、その堅固にされた状態において方位角の調整、即ち支柱に対する上部締付固定具と下部締付固定具の回動を容易ならしめるようにしたパラボラアンテナ取付装置を提供しようとするものである。
他の目的及び利点は図面及びそれに関連した以下の説明により容易に明らかになるであろう。
【課題を解決するための手段】
【０００６】
本発明におけるパラボラアンテナ取付装置は、パラボラアンテナ２の背面に上部締付固定具１７と下部締付固定具１８とを備えさせ、上部締付固定具１７と下部締付固定具１８とを夫々支柱61の上下位置に相互に離間した状態で装着することによって、パラボラアンテナ２を支柱６１に装着するようにあるパラボラアンテナの取付具において、上記下側に位置させる下部締付固定具１８は、支柱６１のパラボラアンテナ２側の面61ａに添え付ける当て部材５０と、上記当て部材５０に対向させる状態で支柱６１の反パラボラアンテナ２側の面61ｂに添え付ける締付部材４４と、支柱６１の両側に添えつけられる上記当て部材５０と締付部材４４とを、支柱６１に圧着させる為の締付具６２とを備え、さらに上記当て部材５０には、  パラボラアンテナ２の背面に連結する結合部１３とを備えさせて構成し、上記上側に位置させる上部締付固定具１７は、支柱６１の反パラボラアンテナ２側の面61ｂに添え付ける引止部材２２と、上記引止部材２２に対向させる状態で支柱６１のパラボラアンテナ２側の面61ａに添え付ける締付回り止部材３７と、上記締付回り止部材３７に並ぶ位置に並設する状態で、かつ、上記引止部材２２に対向させる状態で上記支柱６１のパラボラアンテナ２側の面61ａに添え付ける合せ部材３０と、支柱６１の両側に添えつけられる上記引止部材２２と締付回り止部材３７及び支柱６１の両側に添えつけられる上記引止部材２２と合せ部材３０とを、夫々締付ける為の締付具６２とを備え、さらに上記合せ部材３０には、パラボラアンテナ２の背面に連結する結合部１２を備えさせて構成し、   上記支柱６１の両側に対向する状態で位置させる上記引止部材２２と、パラボラアンテナ２の背面に連結する結合部１２を備える合せ部材３０との内側の構成は、上記締付具６２を用いて両者の締め付け操作を完了した状態において、上記引止部材２２と合せ部材３０との夫々の内側が、周方向には回動を可能にする状態で上記支柱６１の外周面に接触し、上記引止部材２２と合せ部材３０とは一体化するように構成したものである。
【発明の効果】
【０００７】
以上のように本発明は、パラボラアンテナを支柱に対して上下２個所で支持することにより、例えば大きなパラボラで大きな風圧を受けるタイプのパラボラアンテナでも安定した状態で支持できる特徴がある。
【０００８】
さらに本発明にあっては、パラボラアンテナを支柱に対して上下２個所で支持するものであっても、パラボラアンテナ２を支柱に対して装着する場合、それらの役割分担は、下側に位置させる下部締付固定具１８は、支柱６１のパラボラアンテナ２側の面61ａに添え付ける当て部材５０と、上記当て部材５０に対向させる状態で支柱６１の反パラボラアンテナ２側の面61ｂに添え付ける締付部材４４と、さらに上記当て部材５０には、パラボラアンテナ２の背面に連結する結合部１３とを備えさせて構成し、上側に位置させる上部締付固定具１７は、支柱６１の反パラボラアンテナ２側の面61ｂに添え付ける引止部材２２と、上記引止部材２２に対向させる状態で上記支柱６１のパラボラアンテナ２側の面61ａに添え付ける合せ部材３０と、さらに上記合せ部材３０には、パラボラアンテナ２の背面に連結する結合部１２を備えさせて構成してあるから、図１からも明らかなように、パラボラアンテナ２の荷重は引止部材２２と当て部材５０に加わる特徴があり、このことにより支柱６１に対するパラボラアンテナ２の仰角位置は、仮締め状態でも固定される特長がある。
【０００９】
さらに本発明は、上部締付固定具１７における引止部材２２と合せ部材３０との内側の構成は、締付具６２を用いて両者の締め付け操作を完了した状態において、引止部材２２と合わせ部材３０との夫々の内周面が支柱６１の外周面に接触するように形成してあるので、パラボラアンテナ２を支柱６１に対して装着する作業の過程において突風があった場合でも、パラボラアンテナは強風による持ち上げ力に抗して、支柱とパラボラアンテナとの関係位置を堅固に維持する特長がある。このことは、作業者は安全にアンテナ装着作業をすることができる安全上の効果がある。
【００１０】
さらに本発明は、上記のように、上部締付固定具１７における引止部材２２と合わせ部材３０の締め付け操作を完了した状態において、支柱とパラボラアンテナとの関係位置が堅固に維持するものであっても、引止部材２２と合せ部材３０との夫々の内周面は、周方向には回動を可能にする状態で支柱６１の外周面に接触するように形成してあるので、作業者がパラボラアンテナの方位角を調整する場合には、支柱に対する上部締付固定具と下部締付固定具の回動は容易で、しかもパラボラアンテナの仰角は一定のまま安定して方位角調整ができる作業上の効果がある。
【発明を実施するための最良の形態】
【００１１】
以下本発明の実施の形態を図面を用いて説明する。図１において、１はパラボラアンテナ取付具を示し、パラボラアンテナ２の背面に上部締付固定具１７と下部締付固定具１８とを備えさせ、上部締付固定具１７と下部締付固定具１８とを夫々支柱61の上下位置に相互に離間した状態で装着することによって、パラボラアンテナ２を支柱６１に装着するようにしてある。
２は周知のパラボラアンテナを示す。図示のパラボラアンテナ２は、例えば広く知られているように、放送番組を伝送する無線伝送システムにおける、送信所と他の送信所とを結ぶ無線伝送路（ＴＴＬ）に用いられる大型のパラボラアンテナ（パラボラの寸法：直径1.2ｍ）を示す。
４、４・・・４はパラボラアンテナ２の反射器の背面３に備えられた任意本数の補強材を示す。
【００１２】
７はパラボラアンテナ２と上部締付固定具１７と下部締付固定具１８との連結構造を示し、パラボラアンテナを支柱６１に対して装着した状態で、パラボラアンテナ２の仰角が所定の角度になるように形成されている。
８は棒状又はパイプ状のアーム、９は上下のアーム８、８を一体的に連結する連結杆を示す。１０は連結杆９に固着されていて、パラボラアンテナ２に連結するための連結部材を示し、周知の固着手段１１でパラボラアンテナ２の補強材４に固着されている。固着手段としては、ボルトとナットで固着したものを図示したが、他の固着手段、例えば溶接手段、嵌着手段等を用いても良い。
なお、連結構造７を使用する例を図示して説明したが、連結構造７は任意選択的に用いれば良く、パラボラアンテナ２の背部を直接上部締付固定具１７と下部締付固定具１８に連結してもよい。
【００１３】
次に上側に位置させる上部締付固定具１７について説明する。
２２は支柱６１の反パラボラアンテナ２側の面61ｂに添え付ける引止部材を示す。引止部材２２において、２３はＵ字状の半円状の本体、２４は本体２３と一体的に成形された張出状の舌片、２５は舌片２４に形成されたボルト挿通孔を示す。引止部材２２の上下寸法２６は、図示のように後述する締付回り止部材３７と合わせ部材３０とを上下に並べて、双方を夫々連結締付できる寸法に形成してある。
３７は引止部材２２に対向させる状態で支柱６１のパラボラアンテナ２側の面61ａに添え付ける締付回り止部材を示す。締付回り止部材３７において、３８は半円状の本体、３９は本体３８と一体的に成形された張出状の舌片、４０は舌片２４に形成されたボルト挿通孔を示す。締付回り止部材３７は、舌片３９を締付具（ボルトとナット）６２でもって、引止部材２２の舌片２４に連結できるようにしてある。さらに、引止部材２２の回り止めの役割をもつ締付回り止部材３７の内側の構成は、支柱６１を挟んで対向する引止部材２２に対して締付完了状態では、締付回り止部材３７の内周面38ａと支柱６１の周面61aとが固く密着し、引止部材２２が周方向へ回動するのを阻止できるようにしてある。
３０は、締付回り止部材３７に並ぶ位置に並設する状態で、かつ、上記引止部材２２に対向させる状態で上記支柱６１のパラボラアンテナ２側の面61ａに添え付ける合わせ部材を示す。合わせ部材３０において、３１は半円状の本体、３２は本体３１と一体的に成形された張出状の舌片、３３は舌片２４に形成されたボルト挿通孔を示す。１２はパラボラアンテナ２の背面に連結する結合部を示し、連結構造７におけるアーム８の一端と溶接手段によって固着されている。なお、固着手段としては、合わせ部材３０と、アーム８に夫々接続用プレートを固着し、両者をボルトで着脱自在に連結してもよい。
合わせ部材３０は、舌片３２を締付具６２でもって、引止部材２２の舌片２４に連結できるようにしてある。
上記支柱６１の一面に対向する状態で位置させる上記引止部材２２と、パラボラアンテナ２の背面に連結する結合部１２を備える合せ部材３０との内側の構成は、上記締付具６２を用いて両者の締め付け操作を完了した状態（図１（Ａ）、図２（Ｂ）参照）、即ち、引止部材２２と、合わせ部材３０とが一体化した状態において、上記引止部材２２と合せ部材３０との夫々の内周面が、周方向には回動を可能にする状態で上記支柱６１の外周面に接触する（合わせ部材３０の内周面は、支柱６１の外周面に対して滑動可能に接触する）ように形成してある。
【００１４】
次に下側に位置させる下部締付固定具１８について説明する。
４４は、当て部材５０に対向させる状態で支柱６１の反パラボラアンテナ側の面61ｂに添え付ける締付部材を示す。締付部材４４において、４５は半円状の本体、４６は本体４５と一体的に成形された張出状の舌片、４７は舌片４６に形成されたボルト挿通孔を示す。
５０は支柱６１のパラボラアンテナ側の面61ａに添え付ける当て部材を示し、
５１は半円状の本体、５２は本体５１と一体的に成形された張出状の舌片、５３は舌片５２に形成されたボルト挿通孔を示す。当て部材５０は、舌片５２を締付具（ボルトとナット）６２でもって、締付部材４４の舌片４６に連結できるようにしてある。１３は前述の連結部１２と同様にパラボラアンテナ２の背面に連結する結合部を示し、連結構造７におけるアーム８の一端と溶接手段等、任意手段によって固着されている。
６２は、支柱６１の両側に添えつけられる上記当て部材５０と締付部材４４とを、支柱６１に圧着させる為の締付具（ボルトとナット）を示す。
締付部材４４と当て部材５０の内側の構成は、支柱６１を挟んでの相互の締付完了状態では、両者の内周面51ａ、４５ａと支柱６１の周面61a、61ｂとが夫々密着し、周方向への回動を阻止できるようにしてある。
【００１５】
１９はパラボラアンテナ取付装置１が支柱６１の下方向へずれ下がるのを補強的に防止する為の周知の滑り止具を示す。
滑り止具１９において、５７は半円状の本体を示し、その板厚は、上記下部締付固定具１８を受止めることができるように形成されている。
５８は本体５７と一体的に成形された張出状の舌片、５９はボルト挿通孔を示す。
滑り止具１９は、二つの本体５７を支柱６１を挟んで対向させた状態で、夫々の舌片５８を締付具（ボルトとナット）６２でもって、相互に連結して支柱６１に固着できるようにしてある。なお、引止部材２２の位置が支柱６１の頂部に近い場合は、従来から知られているように、例えば特許文献１のように、支柱６１の頂部と引止部材２２とを連結して引止部材２２の滑り落ちを防止してもよい
【００１６】
上記構成のものを用いてパラボラアンテナ２を設置する作業について説明する。
まず、支柱６１におけるパラボラアンテナ２を装着予定位置の下部（下部締付固定具１８の装着予定位置の下部）に滑り止具１９を装着する。
次に連結構造７、下部締付固定具１８における当て部材５０及び上部締付固定具１７における合わせ部材３０が連結されたパラボラアンテナ２を、クレーンを用いる等、任意手段で吊り上げ、支柱６１におけるパラボラアンテナ２の装着予定位置まで移動させる。この場合、下部締付固定具１８における当て部材５０が、先に支柱６１に装着した滑り止具１９の上面に載る位置に来るようにし、当て部材５０の内周面５１ａと上部締付固定具１７における合わせ部材３０内周面31ａが支柱６１のパラボラアンテナ側の面61ａに対向するようにする。
【００１７】
次に、引止部材２２を、支柱６１の反パラボラアンテナ側の面61ｂに添え付けて、上部締付固定具１７における合わせ部材３０に対してしっかりと締付ける。
さらに、締付回り止部材３７を合わせ部材３０の上方で、かつ、支柱６１のパラボラアンテナ側の面61ａ側に位置させ、引止部材２２に対して仮締する（支柱61の外周面との間に間隙Ｇが見える程度にする）。
一方、下部締付固定具１８において、締付部材４４を支柱６１の反パラボラアンテナ側の面61ｂに対向させ、当て部材５０に対して仮締する（支柱61の外周面との間に間隙Ｇが見える程度にする）。
この締付作業のとき、作業員に対し、上記間隙Ｇを小さくするように指示すると、作業員は締付具６２を一生懸命締め付けて、多くの場合、引止部材２２と、締付回り止部材３７とが支柱６１の周面に圧接するまで締付けて、次段の方位角調整作業を困難にする。従って目視できるように間隙Ｇがあるとよい。
この状態（図１（Ａ）、図２（Ｂ）参照）では、パラボラアンテナ２の荷重は、重力方向（矢印６５方向）に加わる。これにより、パラボラアンテナ２の荷重は、連結構造７を通じて伝わり、上部締付固定具１７、下部締付固定具１８に対して夫々、矢印６６、矢印６７方向の力が加わり、パラボラアンテナ２の荷重が、引止部材２２と当て部材５０に加わる。このことにより、引止部材２２の内周面23ａと支柱の面61ｂ、当て部材５０の内周面51ａと支柱６１の面61ａとが密着し、支柱６１に対するパラボラアンテナ２の仰角位置は、仮締め状態でも固定される
【００１８】
次に、パラボラアンテナ２の方位角調整をする。方位角調整作業は、通常行なわれるようにパラボラアンテナ２又は連結構造７のアーム８を手でもってを周方向（図２（Ｂ）における矢印７０方向）に回動させて行なう。
この状態（図１（Ａ）、図２（Ｂ）参照）では、上部締付固定具１７にあっては、締付回り止部材３７と支柱６１との間に隙間Ｇがあり、下部締付固定具１８にあっては、締付部材４４と支柱６１との間に隙間Ｇが存在する。よって、周方向への回動作業をスムーズに行なうことができる。
さらに、上部締付固定具１７における引止部材２２と合わせ部材３０とは、支柱６１の外周面に滑動可能に接触しているので、この方位角調整作業中に突風があった場合でも、パラボラアンテナは強風による矢印６８方向の持ち上げ力に抗して、支柱とパラボラアンテナとの関係位置を堅固に維持でき、作業者は安全にアンテナ装着作業をすることができる。
方位角調整が完了したら、上部締付固定具１７と下部締付固定具１８における締付作業を完全にする。即ち、上部締付固定具１７における締付回り止部材３７を、引止部材２２に対してしっかりと締付け、両者を支柱61の外周に圧着し、引止部材２２の回り止めをする。また、下部締付固定具１８における締付部材４４を当て部材５０に対して、しっかりと締付け、三者を一体化させる。
以上のように上部締付固定具１７及び下部締付固定具１８における締付が完了した状態では、上部締付固定具１７における締付回り止部材３７と引止部材２２とは支柱６１に対して固着される。さらに、下部締付固定具１８における締付部材４４と当て部材５０とは、支柱６１に対して固着される。よって、支柱とパラボラアンテナとの関係位置を堅固に維持することができ、パラボラアンテナ２は、所定の仰角と方位角に調整された状態で安定して設置される。
【図面の簡単な説明】
【００１９】
【図１】パラボラアンテナ取付具を説明する為の図で、（Ａ）は支柱とパラボラアンテナと連結構造と上部締付固定具と下部締付固定具との関係を示す図で、支柱に対する装着作業過程において引止部材と合せ部材を締付けた状態を示す図、（Ｂ）は、上部締付固定具を説明する為の分解斜視図、（Ｃ）は下部締付固定具を説明する為の分解斜視図、（Ｄ）は滑り止具を説明する為の分解斜視図。
【図２】パラボラアンテナを設置する作業を説明する為の部分断面図（図１（Ａ）におけるＩ−Ｉ線断面図、ＩＩ−ＩＩ線断面図、ＩＩＩ−ＩＩＩ線断面図、ＩＶ−ＩＶ線断面図）で、（Ａ）は支柱に対してパラボラアンテナ取付具を装着前の状態、（Ｂ）はパラボラアンテナの方位角調整時の状態、（Ｃ）は、パラボラアンテナ取付具における上部締付固定具と下部締付固定具の締め付けが完了した状態を示す。
【符号の説明】
【００２０】
１・・・パラボラアンテナ取付具、２・・・パラボラアンテナ、３・・・パラボラアンテナの反射器の背面、４・・・反射器の補強材、７・・・連結構造、８・・・アーム、９・・・連結杆、１０・・・連結部材、１１・・・ボルト等、１２・・・結合部、１３・・・結合部、 １７・・・上部締付固定具、１８・・・下部締付固定具、１９・・・滑り止具、２２・・・引止部材、２３・・・半円状の本体（Ｕ字状）、２４・・・張出状の舌片、２５・・・ボルト挿通孔、２６・・・上下寸法、３０・・・合わせ部材、３１・・・半円状の本体、３２・・・張出状の舌片、３３・・・ボルト挿通孔、３４・・・上下寸法、３７・・・締付回り止部材、３８・・・半円状の本体、３９・・・張出状の舌片、４０・・・ボルト挿通孔、４４・・・締付部材、４５・・・半円状の本体、４６・・・張出状の舌片、４７・・・ボルト挿通孔、５０・・・当て部材、５１・・・半円状の本体、５２・・・張出状の舌片、５３・・・ボルト挿通孔、５７・・・半円状の本体、５８・・・張出状の舌片、５９・・・ボルト挿通孔、６１・・・支柱、６２・・・締付具（ボルト）、６５・・・重力方向、６６・・・矢印、６７・・・矢印、６８・・・風圧の方向。
【図１】
2008244510.tif 000003
【図２】
2008244510.tif 000004